(57)【要約】【課題】情報記録再生の信頼性を向上させることができる書き換え型多層光ディスクを提供するにある【解決手段】多層光ディスクでは、書き換え型の複数の記録層１０２，１０３のいずれかの層にピット列が形成されているリードインエンボス領域１０５が設けられ、他の領域は、情報が記録可能なグルーブ領域１０４−１，１０４−２に定められている。また、リードインエンボス領域１０５に対向する他の記録層１０３のグルーブ領域では、リードインエンボス領域１０５を検索する光ビームであってこの光ビームが照射される領域は、非記録領域に定められ、この領域を除くグルーブ領域１０４−１が実質的に情報が記録可能な領域に定められている。【選択図】図１
2004127390.tif 000002
【特許請求の範囲】
【請求項１】
集束光ビームで記録マーク列を形成可能な少なくとも第１及び第２の記録層が透明基板で支持され、前記集束光ビームが前記第１及び第２の記録層の一方を通過して前記第１及び第２の記録層の他方を検索する構造を有する多層光ディスクにおいて、
前記第１の記録層上に消去不能の情報がピット列として記録されている再生専用の領域が設けられ、この再生専用の領域を除く他の領域が前記集束光ビームで情報の書き込みが可能な第１の記録領域に定められ、
前記第２の記録層上に前記再生専用の領域に対向して非記録領域が設けられ、この非記録領域を除く他の領域が前記集束光ビームで情報の書き込みが可能な第２の記録領域に定められ、
前記非記録領域は、前記第１の記録層上で前記再生専用領域を検索する前記集束光ビームが前記第２の記録層上に照射される範囲を少なくとも有することを特徴とする多層光ディスク。
【請求項２】
前記第２の記録領域の範囲は、前記第１記録層に前記集束光ビームが前記再生専用領域の外周端外に向けられている際に前記第２の記録層上に形成されるビームパターンの範囲を限界として定められることを特徴とする請求項１記載の多層光ディスク。
【請求項３】
前記第１及び第２の記録領域には、案内溝が設けられ、前記第２の記録層上の非記録領域にも案内溝が設けられていることを特徴とする請求項１記載の多層光ディスク。
【請求項４】
前記第２の記録層上の非記録領域は、前記第１の記録層の再生専用領域よりも大きく定められていることを特徴とする請求項１記載の多層光ディスク。
【請求項５】
前記第１の記録層は、前記第２の記録層よりも前記集束光ビーム入射面側に配置されることを特徴とする請求項１記載の多層光ディスク。
【請求項６】
前記第２の記録層上の前記非記録領域は、前記第１の記録層の再生専用領域上にアドレスで定められることを特徴とする請求項１記載の多層光ディスク。
【請求項７】
前記第２の記録層は、前記第１の記録層よりも前記集束光ビーム入射面側に配置されることを特徴とする請求項１記載の多層光ディスク。
【請求項８】
前記再生専用領域は、光ディスクのリードイン領域或いはリードアウト領域に設けられていることを特徴とする請求項１記載の多層光ディスク。
【請求項９】
集束光ビームで記録マーク列を形成可能な少なくとも第１及び第２の記録層が透明基板で支持され、前記集束光ビームが前記第１及び第２の記録層の一方を通過して前記第１及び第２の記録層の他方を検索する構造を有する多層光ディスクであって、
前記第１の記録層上に消去不能の情報がピット列として記録されている再生専用の領域が設けられ、この再生専用の領域を除く他の領域が前記集束光ビームで情報の書き込みが可能な第１の記録領域に定められ、
前記第２の記録層上に前記再生専用の領域に対向して非記録領域が設けられ、この非記録領域を除く他の領域が前記集束光ビームで情報の書き込みが可能な第２の記録領域に定められ、
前記非記録領域は、前記第１の記録層上で前記再生専用領域を検索する前記集束光ビームが前記第２の記録層上に照射される範囲を少なくとも有する多層光ディスクから情報を再生し、前記第１及び第２の記録層に情報を記録する光ディスク記録再生装置であって、
前記再生専用の領域を読み出し、前記第１及び第２の記録領域のいずれかに前記集束光ビームで情報を記録し、前記非記録領域では、情報の記録を禁止する制御手段を有することを特徴とする光ディスク記録再生装置。
【発明の詳細な説明】
【０００１】
【発明の属する技術分野】
この発明は、多層光ディスク及び光ディスク記録再生装置に関する。
【０００２】
【従来の技術】
光ディスクには、種々のタイプがあり、読み出し専用型（ＲＯＭタイプ）、書き込み専用で消去不能の追記型（Ｗｒｉｔｅ−ｏｎｃｅ　タイプ）、データの消去書き換えが可能な書き換え型（Ｒｅｗｒｉｔａｂｌｅタイプ、即ちＲＡＭタイプ）がある。また、光ディスクとしてＣＤに比べてより高密度で情報が記録されるＤＶＤディスクが開発されている。更に、より多くのデータを記録するためにディスク内の記録層を２層としているディスクが開発されている。
【０００３】
読み出し専用型であって２層構造を有するＤＶＤディスクとしては、例えば、特開平８−２５５３４７公報（特許文献１）に開示されるように対物レンズに近い側に第１記録層が設けられ、その背面に第２層が設けられているディスクがある。このディスクでは、その第１記録層の内周側がリードイン領域及びその外周側がリードアウト領域に定められ、第２層の外周側がリードイン領域及びその内周側がリードイン領域に定められ、第１記録層のリードイン領域、第１記録層のリードアウト領域、第２層のリードアウト領域及び第２層のリードイン領域と連続的に検索されて連続するデータを読み出し可能であるとしている。このような２層構造を有するＤＶＤディスクでは、読み出し専用型であることから、第１記録層及び第２層ともに連続したピット列が形成され、このピット列がトラッキングされることによってデータが読み出される。
【０００４】
また、書き換え型のディスクには、例えば、相変化方式で書き換え可能なＤＶＤ−ＲＡＭがあるが、従来、知られている書き換え型のディスクは、１層の構造を有するタイプであって、未だ２層構造を有する書き換え可能なタイプは、開発されていない。この１層構造のＤＶＤ−ＲＡＭでは、その大部分の領域にグルーブと呼ばれる案内溝、即ち、トラッキングガイドが形成され、この案内溝内或いは案内溝間のランドに、ユーザーが任意に情報を相変化マーク列として記録することができる。また、このタイプのディスクでは、その最内周のリードイン領域に案内溝ではなく、リードインエンボスと呼ばれるピット列が設けられている。このピット列はユーザーがこのディスクに任意の情報を記録する前に、光ディスク自体の属性や使用条件等の情報を提供する目的で、ディスク基板成型時に表面の凹凸として記録されている。
【０００５】
【特許文献１】
特開平８−２５５３４７公報
【０００６】
【発明が解決しようとする課題】
上述したように従来、書き換え型光ディスクであって記録層を所定の間隔で多層化した光ディスクは、開発されていない。このような書き換え型光ディスクの開発に際して、単にＲＯＭディスクと同様に２層として、その一方或いは両方の層のリードイン領域にリードインエンボス或いはリードアウトエンボスを設けることが想定される。しかし、このような構造のディスクでは、ある層のリードインエンボスとグルーブ領域との境界が検索される際にノイズが発生されて情報記録再生の信頼性が低下する可能性がある。
【０００７】
この発明は、上述した事情に鑑みなされたものであって、その目的は、情報記録再生の信頼性を向上させることができる書き換え型多層光ディスク及びこの書き換え型多層光ディスクの為の光ディスク記録再生装置を提供することにある。
【０００８】
【課題を解決するための手段】
この発明によれば、
集束光ビームで記録マーク列を形成可能な少なくとも第１及び第２の記録層が透明基板で支持され、前記集束光ビームが前記第１及び第２の記録層の一方を通過して前記第１及び第２の記録層の他方を検索する構造を有する多層光ディスクにおいて、
前記第１の記録層上に消去不能の情報がピット列として記録されている再生専用の領域が設けられ、この再生専用の領域を除く他の領域が前記集束光ビームで情報の書き込みが可能な第１の記録領域に定められ、
前記第２の記録層上に前記再生専用の領域に対向して非記録領域が設けられ、この非記録領域を除く他の領域が前記集束光ビームで情報の書き込みが可能な第２の記録領域に定められ、
前記非記録領域は、前記第１の記録層上で前記再生専用領域を検索する前記集束光ビームが前記第２の記録層上に照射される範囲を少なくとも有することを特徴とする多層光ディスクが提供される。
【０００９】
また、この発明によれば、
集束光ビームで記録マーク列を形成可能な少なくとも第１及び第２の記録層が透明基板で支持され、前記集束光ビームが前記第１及び第２の記録層の一方を通過して前記第１及び第２の記録層の他方を検索する構造を有する多層光ディスクであって、
前記第１の記録層上に消去不能の情報がピット列として記録されている再生専用の領域が設けられ、この再生専用の領域を除く他の領域が前記集束光ビームで情報の書き込みが可能な第１の記録領域に定められ、
前記第２の記録層上に前記再生専用の領域に対向して非記録領域が設けられ、この非記録領域を除く他の領域が前記集束光ビームで情報の書き込みが可能な第２の記録領域に定められ、
前記非記録領域は、前記第１の記録層上で前記再生専用領域を検索する前記集束光ビームが前記第２の記録層上に照射される範囲を少なくとも有する多層光ディスクから情報を再生し、前記第１及び第２の記録層に情報を記録する光ディスク記録再生装置であって、
前記再生専用の領域を読み出し、前記第１及び第２の記録領域のいずれかに前記集束光ビームで情報を記録し、前記非記録領域では、情報の記録を禁止する制御手段を有することを特徴とする光ディスク記録再生装置が提供される。
【００１０】
【発明の実施の形態】
以下図面を参照して、この発明の実施の形態に係る多層光ディスク及び光ディスク記録再生装置を説明する。
【００１１】
図１は、この発明の実施形に係る多層光ディスクを概略的に示す破断斜視図である。
【００１２】
図１に示される光ディスク１００は、書き換え型であって、多層、即ち、２層の記録層１０２、１０３を備えている。この光ディスク１００では、第０記録層１０２及び第１記録層１０３が微小間隔を空けて互いに対向されるように透明な光ディスク基板１０１内に埋設されている。ここで、第０記録層１０２は、光ディスク基板１０１を介して光ビームを収束する対物レンズ（図示せず）に対向され、第１記録層１０３は、光ディスク基板１０１及び第０記録層１０２を介して対向されている。即ち、第０記録層１０２がより第１記録層１０３に比べて対物レンズに近接して配置され、何れも集束光ビームの光ビーム入射方向Ｘに対面されている。
【００１３】
第０記録層１０２及び第１記録層１０３は、いずれもその内周から外周までの大部分の領域が書き換え可能なデータ領域としてのグルーブ領域１０４−０，１０４−１に定められ、このグルーブ領域１０４−０，１０４−１には、ユーザーが任意の情報を記録し、再生するためにスパイラル状にグルーブが形成されている。第０記録層１０２及び第１記録層１０３、特に、グルーブ領域１０４−０，１０４−１は、相変化型の記録材料で形成され、記録レベルの記録光ビームの照射によって相変化を起こしてマークが記録され、また、消去レベルの消去光ビームの照射によって同様に相変化を起こしてそのマークが消去される。このマークが連続するマーク列は、このグルーブによって光ビームがガイドされ、このグルーブに相当する溝内の底面に、或いは、この溝間のランドの平坦部に情報が記録される。より高い密度で情報を記録する際には、溝内の底面に、或いは、この溝間のランドの平坦部にマーク列が記録されて情報が記録される。再生時には、グルーブ及びランド、或いは、いずれかが再生レベルの光ビームで検索され、その再生光ビームが強度変調される。
【００１４】
図１に示されるように第０記録層の最内周のリードイン領域には、光ディスク自体の属性及び使用条件等の情報、例えば、物理的なフォーマット情報等が消去不能な再生専用情報として記録されている再生専用の領域としてリードインエンボス領域１０５が設けられている。このリードインエンボス領域１０５には、グルーブ領域とは異なり、グルーブが設けられず、ピット列が連続して形成されている。このリードインエンボス領域１０５に連接して、即ち、このリードインエンボス領域１０５外接してグルーブ領域が形成されている。図１に示すディスクおいては、第０記録層では、グルーブ領域１０４−０がリードインエンボス領域１０５の外周からその最外周に亘って形成され、その第１記録層では、グルーブ領域１０４−１がその最外周からその最内周領域まで形成されている。第１記録層１０３では、グルーブ領域１０４−１がその最外周からその最内周領域まで連続して形成されていることから、図１に示されるように第０記録層１０２のリードインエンボス領域１０５に対向する第１記録層の内周の領域は、２層構造のＲＯＭとは異なりピット列が配列されたリードアウトエンボス領域が設けられず、リードアウト領域に定められても他のグルーブ領域１０４−１と実質的に同一の物理的特性を有している。
【００１５】
また、グルーブ領域１０４−１では、リードインエンボス領域１０５にフォーカスされてこのリードインエンボス領域１０５を検索している光ビームであってこのエンボス領域１０５を通過した光ビームが第１記録層１０３に照射される全ての領域は、全て非記録領域に定められ、この非記録領域を除くグルーブ領域１０４−１が第１記録層１０３における実質的に情報が記録可能な領域に定められている。この記録可能な領域の境界は、後に説明するように第１記録層１０３にフォーカスされる集束光ビームがリードインエンボス領域１０５の外周端外のグルーブ領域１０４−０を通過してビームスポットをグルーブ領域１０４−１上に形成する範囲を限界として定められる。この非記録領域、及び又は、第１記録層１０３における実質的に情報が記録可能な領域は、リードインエンボス領域１０５にトラックアドレスとして記録され、このアドレスを参照して再生及び記録の制御が実施されることが好ましい。
【００１６】
図２には、図１に示される多層光ディスク１００に情報を記録し、また、記録された情報を消去し、この多層光ディスク１００から情報を再生する光ディスク記録再生装置のブロック図が示されている。図１に示されるように、多層光ディスク１００は、モータ３０２によって所定の速度で回転され、このディスク３０１には、光ヘッド３０３の対物レンズ３０５から光ビームが照射されている。従って、光ビームは、第０記録層１０２及び第１記録層１０３のピット列或いはグルーブに沿ってガイドされて第０記録層１０２及び第１記録層１０３のリードインエンボス領域１０５或いはグルーブ領域１０４−０、１０４−１が光ビームによって検索される。
【００１７】
対物レンズ３０５は、対物レンズ駆動系３０６によってフォーカス方向に駆動されて常に検索すべき第０記録層１０２及び第１記録層１０３の一方に焦点が合わされてフォーカスした光ビームが照射される。また、対物レンズ３０５は、対物レンズ駆動系３０６によってトラッキング方向に駆動されて対物レンズ３０５からの光ビームがリードインエンボス領域１０５のピット列或いはグルーブ領域１０４−０、１０４−１のグルーブを追従している。光ヘッド３０３は、半導体レーザ２０１を備え、この半導体レーザは、光源対物レンズ３０５に向けて記録用光ビーム、或いは、再生用光ビームを発生する。対物レンズ３０５からの光ビームは、コリメータレンズ２０２でコリメートされ、コリメートされた光ビームがハーフプリズム２０３を介して対物レンズ３０５に入射される。対物レンズ３０５で集光された光ビームは、第０記録層１０２及び第１記録層１０３に入射され、この第０記録層１０２及び第１記録層１０３で反射されて対物レンズ３０５に戻され、この対物レンズ３０５を通過してハーフプリズム２０３に戻される。ハーフプリズム２０３では、反射光ビームの一部が反射されて投射レンズ２０４で集光されて検出器２０５に照射される。検出器２０５からは、反射光ビームに応じた検出信号が発生され、この検出信号は、再生系の回路３０７に供給される。再生系の回路３０７では、検出信号から再生信号を生成すると共に対物レンズ３０５のフォーカスの状態及びトラッキングの状態に対応するフォーカス信号及びトラッキング信号が生成され、再生信号、フォーカス信号及びトラッキング信号がコントローラ３０８に与えられる。このコントローラ３０８は、再生モード、記録モードのいずれかが設定された際に、光源制御系３０４を制御して再生モード、記録モードに対応する光ビームを発生させる。また、コントローラ３０８は、フォーカス信号及びトラッキング信号に応じて対物レンズ駆動系３０６を制御し、対物レンズ３０５をフォーカス及びトラッキング状態に維持している。再生信号は、必要に応じて外部の回路に供給され、外部回路で処理されて映像或いは音声として再生される。
【００１８】
図２に示す記録再生装置においては、始めに、再生光ビームが光ディスクの第０記録層３０９に集光されてそのリードインエンボス領域３１０のピット列を検索してこの光ディスクに関する属性或いは使用条件等の情報が読み出され、コントローラ３０８に与えられる。その後、ユーザーの要求に従って、光ビームが制御されて光ビームが第０記録層、或いは、第１記録層３１１の任意の箇所に集光され、情報の記録或いは再生が実行される。ここで、既に説明したようにエンボス領域１０５から非記録領域、及び又は、第１記録層１０３における実質的に情報が記録可能な領域のアドレスが読み出されてこの領域では、情報の記録或いは再生制御が無効に制御されることが好ましい。
【００１９】
図３（ａ）は、上述した記録再生装置において、光ディスク１００の第０記録層１０２が選択されてこのリードインエンボス領域１０５の外周部に光ビーム２１０が向けられている状態における光ビームの照射領域を示している。この図３（ａ）において、符号Ｒｘは、光ディスク１００の回転中心を示している。光ビームは、第０記録層１０２にフォーカスされてその表面上にビームスポットを形成しているが、一部の光ビーム２０４は、この第０記録層１０２を透過して第１記録層１０３に入射される。この光ビームは、第０記録層１０２でビームスポットを形成していることから、発散して第１記録層１０３に入射され、ビームスポットに比べて比較的大きく広がる背景パターンをこの第１記録層３１１に形成する。この背景パターンが形成された第１記録層１０３上は、実質的に同一の物理的特性を有しているグルーブ領域１０４−１に定められていることから、この背景パターンからの反射光線は、極端に不均一となるような輝度パターンを生ぜず、入射光ビームに対応した分布を有する比較的均一な輝度パターンとして反射される。従って、第０記録層１０２上のビームスポットから反射された反射光ビームに背景パターンからの輝度パターンがノイズとして混入しても検出器２０５上では、背景パターンからの輝度パターンの影響が比較的小さく、再生信号の信頼性が低下されることが防止される。
【００２０】
リードインエンボス領域１０５の外周部に光ビーム２１０が向けられている状態に限らず、第０記録層１０２の何れの領域、例えば、光ディスク１００の内周部のグルーブ領域が光ビームで検索されても背景パターンからの輝度パターンの影響が比較的小さく、再生信号の信頼性が低下されることが防止される。
【００２１】
図３（ｂ）は、上述した記録再生装置において、光ディスク１００の第１記録層１０３が選択されてこの選択された第１記録層１０３にフォーカスされている状態を示している。しかも、この図３（ｂ）では、この第０記録層１０２のリードインエンボス領域１０５の外周部外であって、グルーブ領域１０４−０の最内周部を通過した光ビーム２１０がこの選択された第１記録層１０３にフォーカスされている。従って、光ビーム２１０は、リードインエンボス領域１０５とグルーブ領域１０４−０との境界外を通過して第１記録層１０３に照射される。この図３（ｂ）に示されるように光ビーム２１０が第０記録層１０２のグルーブ領域１０４−０を通過される際にそのグルーブで屈折作用を受けるが、第１記録層１０３のグルーブ領域１０４−１にビームスポットを形成するに影響を与えない。また、第１記録層１０３のグルーブ領域１０４−１上のビームスポットからの反射光ビームは、再び第０記録層１０２のグルーブ領域１０４−０を通過されるが、やはりこの領域は、実質的に物理特性が均一な領域であることから、再生信号の信頼性が低下されることはない。
【００２２】
図３（ａ）に示される光学系において、光ビームが第０記録層１０２のリードインエンボス領域１０５の外周エッジ及びグルーブ領域１０４−０を通過して第１記録層１０３にフォーカスされる場合には、第１記録層１０３に向けられる光ビームは、リードインエンボス領域１０５とグルーブ領域１０４−０とは、その物理的特性が異なることから、リードインエンボス領域１０５で変調を受けて第１記録層１０３にフォーカスされる。また、グルーブ領域１０４−１上のビームスポットから反射された反射ビームは、同様に第０記録層１０２のリードインエンボス領域１０５の外周エッジ及びグルーブ領域１０４−０を通過して検出器２０５に向けられる。この反射光ビームは、リードインエンボス領域１０５とグルーブ領域１０４−０とは、その物理的特性が異なることから、リードインエンボス領域１０５で変調を受けて検出器２０５に向けられる。この検出器２０５で検出される反射光ビームは、リードインエンボス領域１０５での変調に伴うノイズ成分を含んでいることから、再生信号の信頼性が低下される虞がある。
【００２３】
光ビームが第０記録層１０２のリードインエンボス領域１０５を通過して第１記録層１０３にフォーカスされる場合には、当然に検出器２０５に向けられる反射光ビームは、リードインエンボス領域１０５での変調に伴うノイズ成分を含んでいることから、再生信号の信頼性が低下される虞がある。
【００２４】
そこで、既に説明したように、リードインエンボス領域１０５を検索する為の光ビームであって、このリードインエンボス領域１０５を通過した光ビームが第１記録層１０３に照射される全ての領域は、全て非記録領域に定められ、この非記録領域を除くグルーブ領域１０４−１が第１記録層１０３における実質的に情報が記録可能な領域に定められている。このように定めることによって、非記録領域が検索されて検出器２０５に向けられる反射光ビームがリードインエンボス領域１０５での変調に伴うノイズ成分を含んでいても、この領域が非記録領域であることから、検出器２０５からの検出信号が再生信号として取り扱われることが防止される。
【００２５】
第１記録層１０３上の記録可能な領域の境界は、図３（ｂ）を参照して説明したように、第１記録層１０３にフォーカスされる集束光ビームがリードアウトエンボス領域１０５の外周端外のグルーブ領域１０４−０を通過してビームスポットをグルーブ領域１０４−１上に形成する範囲を限界として定められる。具体的には、第１記録層１０３上の記録可能な領域は、第０記録層１０２におけるリードインエンボス１０５とグルーブ領域１０４−０との境界半径よりも若干外側に定められる。この境界からの距離は、第１記録層１０３にフォーカスした状態における第０記録層１０２上のスポット半径と、両層間の許容偏芯量の和を見込むことによって定めても良い。尚、非記録領域には、有効な情報を記録しないことを前提としているが、テスト記録、同期パターン、あるいは緩衝効果等を目的として、無効な情報の記録領域とすることは妨げるものではない。
【００２６】
なお、図３（ｃ）は、第０記録層１０２のリードインエンボス１０５において、その内周部を光ビームで検索する場合における再生光ビームにノイズが混入することを示している。リードインエンボス１０５の内周端に集束光ビームによってビームスポットが形成される場合、このビームスポットが形成された第０記録層１０２を通過して光ビームが第１記録層１０３に向けられる。ビームスポットからの光ビームは、第１記録層１０３上にビームパターンを形成するが、このパターンが形成された領域において、グルーブ領域１０４が連続していれば、その内では、物理的特性が略均一であることから、既に述べたようにグルーブの影響が小さく、再生信号の信頼性が低下されることはない。しかし、パターンが形成された領域において、グルーブ領域１０４の終端が設けられ、その内でグルーブが途切れる場合には、第１記録層１０３上のビームパターン内にグルーブの領域と他の領域、例えば、鏡面領域とが混在し、物理的特性が異なることとなり、第０記録層１０２のリードインエンボス１０５からの反射光ビームには、物理的特性が異なることに伴うノイズ成分を含まれ、再生信号の信頼性が低下される虞がある。
【００２７】
このことから、第１記録層１０３の影響を受けるリードインエンボス１０５の領域３４０は、無効な情報のピット列とし、リードイン情報として有効なピット列はその外側に設けることが好ましい。第１記録層１０３の影響を受ける第０記録層１０２の領域は、ピット列を設けないでリードインエンボス１０５の領域に定めず、第１記録層１０３のグルーブ領域１０４−１が第０記録層１０２のピット列領域よりも内周まで延出されても良い。
【００２８】
上述したように、光ディスクは、片面２層の構造を有し、リードインエンボスは、その両層に設けられず、しかも、片層だけに設けることによって、互いの層の影響を抑制し、再生の信頼性を向上することができる。
【００２９】
図４は、この発明の第２の実施の形態に係る多層光ディスクを示している。図４に示すように記録可能な記録層１０２、１０３が透明基板１０１中に２層積層されている。この光ディスクの実質的な構造は、図１に示される光ディスク１００と同様であるので、同一部分には、同一符号を付してその説明を省略する。図４に示される光ディスク１００は、図１に示す光ディスク１００と異なり、第０記録層１０２には、リードインエンボス領域１０５が設けられず、その最内周までグルーブ領域１０４−０に定められている。これに対して、第１記録層１０３内周にリードインエンボス領域１０５が設けられ、その外周がグルーブ領域１０４−１に定められている。ここで、第０記録層１０２上の記録可能な領域は、第１記録層１０３にフォーカスされる集束光ビームがリードインエンボス領域１０５の外周端外のグルーブ領域に向けられる際に集束光ビームが第０記録層１０２を通過する領域を限界として定められる。このような構造にあっても、第１の実施形態と同等の効果を得ることができる。
【００３０】
尚、３層以上を積層した光ディスクであっても、リードインエンボスはいずれか１層のみに設けることで、上述した実施例と同様にこの発明の光ディスクの実現が可能である。即ち、リードインエンボスを設けた１つの記録層に対して他の記録層に関して上述した全ての条件を満足させることによって、２層以上の多層構造を有する光ディスクであってもリードインエンボスの影響なしに情報を正確に再生することができ、また、リードインエンボスの情報を正確に再生することが可能となる。
【００３１】
また、この発明の実施の形態の説明には、ＤＶＤ−ＲＡＭと同様に、最内周にリードインエンボスを設ける場合を述べているが、これに限らず、最外周にリードインエンボスが設けられる場合であっても同様にこの発明が適用されることは明らかである。
【００３２】
【発明の効果】
以上説明したようにこの発明によれば、情報記録再生の信頼性を向上させる多層光ディスク及び多層光ディスクに情報を記録し、再生する装置を提供することが可能である。
【図面の簡単な説明】
【図１】この発明の第１の実施の形態係る多層光ディスクの構造を概略的に示す破断斜視図である。
【図２】図１に示した多層光ディスクに情報を記録し、再生する記録再生装置を概略的に示すブロック図である。
【図３】（ａ）から（ｃ）は、図１に示した多層光ディスクにおける記録或いは再生における光ビームの作用を説明するための説明図である。
【図４】この発明の第２の実施形態に係る多層光ディスクの構造を概略的に示す破断斜視図である。
【符号の説明】
１００．．．光ディスク
１０１．．．光ディスク基板
１０２．．．第０記録層
１０３．．．第１記録層
１０４−０，１０４−１．．．グルーブ領域
１０５．．．リードインエンボス領域
３０２．．．モータ
３０３．．．光ヘッド
３０４．．．光源制御系
３０５．．．対物レンズ
３０６．．．駆動系
３０７．．．再生系
３０８．．．コントローラ
【図１】
2004127390.tif 000003
【図２】
2004127390.tif 000004
【図３】
2004127390.tif 000005
【図４】
2004127390.tif 000006